(57)【要約】  本発明は、遠赤外線加熱衣類乾燥機及びその衣類乾燥制御方法を提供する。衣類乾燥ドラムを含む遠赤外線加熱衣類乾燥機は、少なくとも１つの遠赤外線ヒーター（１）と、衣類乾燥ドラムの排気湿度を検出するための湿度センサ（６）と、リレー（３）と、出力端が前記リレー（３）に接続されるコントローラ（２）とを更に含み、すべての遠赤外線ヒーター（１）は前記リレー（３）によって電源（４）に接続され、そのうちの１つの前記遠赤外線ヒーター（１）の内部に１つの第１温度センサ（５）が取り付けられ、前記第１温度センサ（５）と前記湿度センサ（６）は前記コントローラ（２）の入力端に接続され、前記コントローラ（２）は、受信した温度信号又は湿度信号に応じて前記リレー（３）のオン・オフを制御する。上記制御システムにより、回路が簡素化されるとともに、コストが節約される。
2017525480.tif 000002
【特許請求の範囲】
【請求項１】
衣類乾燥ドラムを含む遠赤外線加熱衣類乾燥機であって、
少なくとも１つの遠赤外線ヒーターと、衣類乾燥ドラムの排気湿度を検出するための湿度センサと、リレーと、出力端が前記リレーに接続されるコントローラとを更に含み、すべての遠赤外線ヒーターは前記リレーによって電源に接続され、そのうちの１つの前記遠赤外線ヒーターの内部に１つの第１温度センサが取り付けられ、前記第１温度センサと前記湿度センサは前記コントローラの入力端に接続され、前記コントローラは、受信した温度信号又は湿度信号に応じて前記リレーのオン・オフを制御する、ことを特徴とする遠赤外線加熱衣類乾燥機。
【請求項２】
前記衣類乾燥ドラム内の温度を検出するための少なくとも１つの第２温度センサを更に含み、前記第２温度センサは前記コントローラの入力端に接続されている、ことを特徴とする請求項１に記載の遠赤外線加熱衣類乾燥機。
【請求項３】
前記第２温度センサは前記衣類乾燥機の風出口に設置されている、ことを特徴とする請求項２に記載の遠赤外線加熱衣類乾燥機。
【請求項４】
前記湿度センサは前記衣類乾燥機の風出口に設置されている、ことを特徴とする請求項１に記載の遠赤外線加熱衣類乾燥機。
【請求項５】
前記衣類乾燥機の風入口に、パワーが１０Ｗ〜２０Ｗであり、前記コントローラに接続されている送風機が設置されている、ことを特徴とする請求項１に記載の遠赤外線加熱衣類乾燥機。
【請求項６】
前記衣類乾燥ドラムに、衣類乾燥ドラムの内部を加熱するように、前記遠赤外線ヒーターが取り付けられる取付穴が設置されている、ことを特徴とする請求項１に記載の遠赤外線加熱衣類乾燥機。
【請求項７】
前記衣類乾燥ドラムに少なくとも１組の穴アレイが設けられており、各組の前記穴アレイはいずれも複数の穴から構成され、前記遠赤外線ヒーターは、前記穴アレイの外側に設置され、前記穴アレイによって前記衣類乾燥ドラムの内部を加熱することができる、ことを特徴とする請求項１に記載の遠赤外線加熱衣類乾燥機。
【請求項８】
請求項１に記載の遠赤外線加熱衣類乾燥機に適用される遠赤外線加熱衣類乾燥機の制御方法であって、
第１温度センサにより、遠赤外線ヒーター内の温度を検出し、信号としてコントローラに伝送するとともに、湿度センサにより、衣類乾燥ドラム内のガスの湿度を検出し、信号としてコントローラに伝送するステップＳ１１と、
コントローラにより、受信した湿度値を予め設定された湿度値と比較し、湿度値が予め設定された湿度値を超える場合、ステップＳ１４を実行し、湿度値が予め設定された湿度値以下である場合、ステップＳ１３を実行するステップＳ１２と、
コントローラにより、リレーをオフ状態となるように制御するステップＳ１３と、
コントローラにより、受信した遠赤外線ヒーター内の温度を予め設定された上限温度Ｔｍａｘ１及び予め設定された下限温度Ｔｍｉｎ１と比較し、遠赤外線ヒーター内の温度が予め設定された上限温度Ｔｍａｘ１を超える場合、ステップＳ１３を実行し、遠赤外線ヒーター内の温度が予め設定された下限温度Ｔｍｉｎ１未満である場合、ステップＳ１５を実行するステップＳ１４と、
コントローラにより、リレーをオン状態となるように制御するステップＳ１５と、を含む、ことを特徴とする遠赤外線加熱衣類乾燥機の制御方法。
【請求項９】
請求項２に記載の遠赤外線加熱衣類乾燥機に適用される遠赤外線加熱衣類乾燥機の制御方法であって、
第１温度センサにより、遠赤外線ヒーター内の温度を検出し、信号としてコントローラに伝送し、湿度センサにより、衣類乾燥ドラム内のガスの湿度を検出し、信号としてコントローラに伝送するとともに、第２温度センサにより、衣類乾燥ドラム内の温度を検出し、信号としてコントローラに伝送するステップＳ２１と、
コントローラにより、受信した湿度値を予め設定された湿度値と比較し、湿度値が予め設定された湿度値を超える場合、ステップＳ２４を実行し、湿度値が予め設定された湿度値以下である場合、ステップＳ２３を実行するステップＳ２２と、
コントローラにより、リレーをオフ状態となるように制御するステップＳ２３と、
コントローラにより、受信した遠赤外線ヒーター内の温度を予め設定された上限温度Ｔｍａｘ１及び予め設定された下限温度Ｔｍｉｎ１と比較するとともに、受信した衣類乾燥ドラム内の温度を予め設定された上限温度Ｔｍａｘ２及び予め設定された下限温度Ｔｍｉｎ２と比較し、遠赤外線ヒーター内の温度が予め設定された上限温度Ｔｍａｘ１を超えること、及び衣類乾燥ドラム内の温度が予め設定された上限温度Ｔｍａｘ２を超えることの少なくとも１つを満たす場合、ステップＳ２３を実行し、遠赤外線ヒーター内の温度が予め設定された下限温度Ｔｍｉｎ１未満であること、及び衣類乾燥ドラム内の温度が予め設定された下限温度Ｔｍｉｎ２未満であることの少なくとも１つを満たす場合、ステップＳ２５を実行するステップＳ２４と、
コントローラにより、リレーをオン状態となるように制御するステップＳ２５と、を含む、ことを特徴とする遠赤外線加熱衣類乾燥機の制御方法。
【発明の詳細な説明】
【技術分野】
【０００１】
本発明は、衣類乾燥機の分野に関し、具体的には、遠赤外線加熱衣類乾燥機及びその衣類乾燥制御方法に関する。
【背景技術】
【０００２】
従来技術において、遠赤外線加熱技術を利用して衣類を乾燥させ、具体的には、乾燥ドラム又は乾燥ドラムの外側に、遠赤外線を発することができる遠赤外線ヒーターが設置される衣類乾燥機又は洗濯乾燥機がある。遠赤外線は水分に吸収されるが、空気に吸収されないエネルギー特性を有するため、遠赤外線が乾燥ドラムの内部に照射されると、被加熱物内の水分に吸収され、熱エネルギーに直接変換されて被加熱物内の水分を水蒸気に変換して排出する。
【０００３】
しかし、従来の衣類乾燥機又は洗濯乾燥機に用いられる遠赤外線加熱技術は、一般的にＰＣＢ（Ｐｒｉｎｔｅｄ  Ｃｉｒｃｕｉｔ  Ｂｏａｒｄ）プリント回路基板に設置された１つのリレーによって１組の遠赤外線ヒーターのオン・オフを制御し、遠赤外線ヒーターの温度が高すぎることを防止するために、各遠赤外線ヒーターの付近に１つの温度コントローラがそれぞれ取り付けられ、且つドラム内の温度を規準を超えないように制御するために、乾燥ドラム内に１つの温度センサが設置されている。そのため、従来の遠赤外線加熱制御方式を利用する場合、各遠赤外線ヒーターに１つのリレー及び温度コントローラを配置して制御を行う必要があり、衣類乾燥機又は洗濯乾燥機全体に複数組のリレー及び温度コントローラを設置する必要があるため、配線が複雑となり、コストがかかる。
【０００４】
遠赤外線ヒーターにはＴＣＭ材料が用いられ、ＴＣＭ（Ｔｉｎ  Ｃｅｒａｍｉｃ  Ｍｅｍｂｒａｎｅ）は機能セラミック複合電熱新材料であり、電気エネルギーを熱エネルギーに変換してから遠赤外線に更に変換し、低、中温の高効率遠赤外線素子に製造でき、豊富な長波遠赤外線を生成できる特徴を有し、熱電分野において先駆的で省エネ且つ最先端のハイテク新製品であり、その熱効率が９２％に達し、通常の熱電素子に比べて２０％〜３０％節電し、クリーンエネルギーとして環境保護の要求を完全に満たしている。遠赤外線ヒーターを衣類乾燥機又は洗濯乾燥機に用いて衣類を乾燥させると、遠赤外線ヒーターのパワー密度が比較的低いため、比較的大きい加熱面積が必要となる。従来の遠赤外線ヒーターは、一般的に１枚当たりのパワーが２００〜４００Ｗであり、普通の５ｋｇ衣類乾燥機を例として、少なくとも３〜６枚の遠赤外線ヒーターが必要となる。従来の加熱制御方式を利用する場合、各遠赤外線ヒーターに１つのリレー及び温度コントローラを配置する必要があり、つまり３〜６組のリレー及び温度コントローラを配置する必要があるため、配線が複雑となり、コストがかかる。
【０００５】
上記説明から、従来技術に存在する制御システムの配線が複雑であり、且つコストがかかるという課題を解決するために、新たな遠赤外線衣類乾燥制御システムを提供する必要がある。
【発明の概要】
【発明が解決しようとする課題】
【０００６】
これに鑑み、本発明は、すべての遠赤外線ヒーターをモニタリングするために、１つのリレー及び１つの温度コントローラのみを配置すればよく、回路が簡素化されるとともに、コストが節約される遠赤外線加熱衣類乾燥機を提供することを目的とする。
【０００７】
本発明は、上記遠赤外線加熱衣類乾燥機に適用される遠赤外線加熱衣類乾燥機の制御方法を提供することをもう一つの目的とし、その制御方法が簡単であり、操作しやすい。
【課題を解決するための手段】
【０００８】
本発明の実施形態は、以下の技術方案を採用する。
【０００９】
衣類乾燥ドラムを含む遠赤外線加熱衣類乾燥機であって、少なくとも１つの遠赤外線ヒーターと、衣類乾燥ドラムの排気湿度を検出するための湿度センサと、リレーと、出力端が前記リレーに接続されるコントローラとを更に含み、すべての遠赤外線ヒーターは前記リレーによって電源に接続され、そのうちの１つの前記遠赤外線ヒーターの内部に１つの第１温度センサが取り付けられ、前記第１温度センサと前記湿度センサは前記コントローラの入力端に接続され、前記コントローラは、受信した温度信号又は湿度信号に応じて前記リレーのオン・オフを制御する。
【００１０】
好ましくは、前記衣類乾燥ドラム内の温度を検出するための少なくとも１つの第２温度センサを更に含み、前記第２温度センサは前記コントローラの入力端に接続されている。
【００１１】
好ましくは、前記第２温度センサは前記衣類乾燥機の風出口に設置されている。
【００１２】
好ましくは、前記湿度センサは前記衣類乾燥機の風出口に設置されている。
【００１３】
好ましくは、前記衣類乾燥機の風入口に、パワーが１０Ｗ〜２０Ｗであり、前記コントローラに接続されている送風機が設置されている。
【００１４】
好ましくは、前記衣類乾燥ドラムに、衣類乾燥ドラムの内部を加熱するように、前記遠赤外線ヒーターが取り付けられる取付穴が設置されている。
【００１５】
好ましくは、前記衣類乾燥ドラムに少なくとも１組の穴アレイが設けられており、各組の前記穴アレイはいずれも複数の穴から構成され、前記遠赤外線ヒーターは、前記穴アレイの外側に設置され、前記穴アレイによって前記衣類乾燥ドラムの内部を加熱することができる。
【００１６】
第１形態に記載の遠赤外線加熱衣類乾燥機に適用される遠赤外線加熱衣類乾燥機の制御方法であって、
第１温度センサにより、遠赤外線ヒーター内の温度を検出し、信号としてコントローラに伝送するとともに、湿度センサにより、衣類乾燥ドラム内のガスの湿度を検出し、信号としてコントローラに伝送するステップＳ１１と、
コントローラにより、受信した湿度値を予め設定された湿度値と比較し、湿度値が予め設定された湿度値を超える場合と、ステップＳ１４を実行し、湿度値が予め設定された湿度値以下である場合、ステップＳ１３を実行するステップＳ１２と、
コントローラにより、リレーをオフ状態となるように制御するステップＳ１３と、
コントローラにより、受信した遠赤外線ヒーター内の温度を予め設定された上限温度Ｔｍａｘ１及び予め設定された下限温度Ｔｍｉｎ１と比較し、遠赤外線ヒーター内の温度が予め設定された上限温度Ｔｍａｘ１を超える場合、ステップＳ１３を実行し、遠赤外線ヒーター内の温度が予め設定された下限温度Ｔｍｉｎ１未満である場合、ステップＳ１５を実行するステップＳ１４と、
コントローラにより、リレーをオン状態となるように制御するステップＳ１５とを含む。
【００１７】
第２形態に記載の遠赤外線加熱衣類乾燥機に適用される遠赤外線加熱衣類乾燥機の制御方法であって、
第１温度センサにより、遠赤外線ヒーター内の温度を検出し、信号としてコントローラに伝送し、湿度センサにより、衣類乾燥ドラム内のガスの湿度を検出し、信号としてコントローラに伝送するとともに、第２温度センサにより、衣類乾燥ドラム内の温度を検出し、信号としてコントローラに伝送するステップＳ２１と、
コントローラにより、受信した湿度値を予め設定された湿度値と比較し、湿度値が予め設定された湿度値を超える場合、ステップＳ２４を実行し、湿度値が予め設定された湿度値以下である場合、ステップＳ２３を実行するステップＳ２２と、
コントローラにより、リレーをオフ状態となるように制御するステップＳ２３と、
コントローラにより、受信した遠赤外線ヒーター内の温度を予め設定された上限温度Ｔｍａｘ１及び予め設定された下限温度Ｔｍｉｎ１と比較するとともに、受信した衣類乾燥ドラム内の温度を予め設定された上限温度Ｔｍａｘ２及び予め設定された下限温度Ｔｍｉｎ２と比較し、遠赤外線ヒーター内の温度が予め設定された上限温度Ｔｍａｘ１を超えること、及び衣類乾燥ドラム内の温度が予め設定された上限温度Ｔｍａｘ２を超えることの少なくとも１つを満たす場合、ステップＳ２３を実行し、遠赤外線ヒーター内の温度が予め設定された下限温度Ｔｍｉｎ１未満であること、及び衣類乾燥ドラム内の温度が予め設定された下限温度Ｔｍｉｎ２未満であることの少なくとも１つを満たす場合、ステップＳ２５を実行するステップＳ２４と、
コントローラにより、リレーをオン状態となるように制御するステップＳ２５とを含む。
【発明の効果】
【００１８】
本発明の実施形態に係る技術方案の有益な技術的効果は、以下のとおりである。つまり、すべての遠赤外線ヒーターは１つのリレーによって電源に接続され、即ち１つのリレーによってすべての遠赤外線ヒーターのオン・オフが制御され、そのうちの１つの遠赤外線ヒーターの内部に１つの第１温度センサが取り付けられ、第１温度センサと衣類乾燥ドラムの排気湿度を検出するための湿度センサは、コントローラに接続され、コントローラは、受信した温度信号又は湿度信号に応じてリレーのオン・オフを制御する。そのため、上記制御システムにより、回路が簡素化されるとともに、コストが節約される。
本発明の実施形態に係る技術方案をより明確に説明するために、以下、本発明の実施形態の説明に使用すべき図面を簡単に説明する。明らかに、下記図面は本発明のいくつかの実施形態を示すものに過ぎず、当業者にとって、創造的な労働を行わない前提で、本発明の実施形態の内容とこれらの図面に基づいて他の図面を得ることが可能である。
【図面の簡単な説明】
【００１９】
【図１】本発明の装置実施形態に係る遠赤外線衣類乾燥制御システムの構造模式図である。
【図２】本発明の方法実施形態に係る衣類乾燥制御方法のフローチャートである。
【図３】本発明の方法実施形態に係る衣類乾燥制御方法の好ましい形態のフローチャートである。
【発明を実施するための形態】
【００２０】
本発明が解決しようとする技術的課題、採用する技術的手段及び達成する技術的効果をより明確にするために、以下、図面を参照しながら本発明の実施形態に係る技術的手段をより詳しく説明する。明らかに、ここに記載された実施形態は、本発明の一部の実施形態に過ぎず、全ての実施形態ではない。本発明の実施形態を基に、当業者が創造的な労働を行わない前提で得た全ての他の実施形態は、いずれも本発明の保護範囲内に含まれる。
【００２１】
＜装置実施形態＞
本出願に係る遠赤外線ヒーターは、洗濯乾燥機に適用してもよく、衣類乾燥機に適用してもよい。以下、衣類乾燥機を例として説明する。衣類乾燥機は、筐体及び遠赤外線衣類乾燥制御システムを含み、前記遠赤外線衣類乾燥制御システムは、前記筐体の内部に回動可能に設置される衣類乾燥ドラムを含む。図１は、本発明の装置実施形態に係る遠赤外線衣類乾燥制御システムの構造模式図である。図１に示すように、前記遠赤外線衣類乾燥制御システムは、少なくとも１つの遠赤外線ヒーター１と、衣類乾燥ドラムの排気湿度を検出するための湿度センサ６と、リレー３と、出力端が前記リレー３に接続されるコントローラ２とを更に含み、前記コントローラ２は電源４に接続され、すべての遠赤外線ヒーター１は１つの前記リレー３によって電源４に接続され、そのうちの１つの前記遠赤外線ヒーター１の内部に１つの第１温度センサ５が取り付けられ、前記第１温度センサ５と前記湿度センサ６は、前記コントローラ２の入力端に接続され、前記コントローラ２は、受信した温度信号又は湿度信号に応じて前記リレー３のオン・オフを制御する。
【００２２】
動作時、第１温度センサ５により、遠赤外線ヒーター１内の温度を検出し、信号としてコントローラ２に伝送するとともに、湿度センサ６により、衣類乾燥ドラムから排出されるガスの湿度を検出し、信号としてコントローラ２に伝送する。
【００２３】
コントローラ２により、受信した遠赤外線ヒーター内の温度を予め設定された上限温度Ｔｍａｘ１及び予め設定された下限温度Ｔｍｉｎ１と比較し、遠赤外線ヒーター内の温度が予め設定された上限温度Ｔｍａｘ１を超えると、リレー３をオフとなるように制御し、遠赤外線ヒーター内の温度が予め設定された下限温度Ｔｍｉｎ１未満であると、リレー３をオンとなるように制御するとともに、コントローラ２により、受信した湿度値を予め設定された湿度値と比較し、湿度値が予め設定された湿度値未満であると、リレー３をオフとなるように制御するとともに、乾燥過程を終了する。
【００２４】
遠赤外線ヒーター１自体が温度制限特性（ＴＣＭのシリーズによって温度が異なり、一般的に２００〜４００度である）及び高度の一致性を有するため、本制御システムは、機械的な温度コントローラを用いず、１枚の遠赤外線ヒーター１のみに、温度を検出して制御するための１つの第１温度センサ５が取り付けられている。具体的には、前記第１温度センサ５は、前記遠赤外線ヒーター１の内側に取り付けられている。遠赤外線ヒーター１は電流が徐々に増大する特性を有し、複数のリレー３を用いてそれぞれ制御を行わず、１つのリレー３のみを用いてすべての遠赤外線ヒーター１を制御する。このように、本システムは、１つの第１温度センサ５及び１つのリレー３のみを用いてすべての遠赤外線ヒーター１を制御することで、回路が簡素化されるとともに、コストが節約される。
【００２５】
本実施形態において、前記遠赤外線ヒーター１は、前記衣類乾燥ドラムに取り付けられてもよく、前記衣類乾燥ドラムと筐体との間に取り付けられてもよい。前記遠赤外線ヒーター１が前記衣類乾燥ドラムに取り付けられている場合、前記衣類乾燥ドラムに、衣類乾燥ドラムの内部を加熱するように、前記遠赤外線ヒーター１が取り付けられる取付穴が設置されている。
【００２６】
本実施形態において、他の好ましい形態として、前記遠赤外線ヒーター１が前記衣類乾燥ドラムと筐体との間に取り付けられている場合、前記衣類乾燥ドラムに少なくとも１組の穴アレイが設けられており、各組の前記穴アレイはいずれも複数の穴から構成され、前記遠赤外線ヒーター１は、穴アレイの外側に設置され、前記穴アレイによって前記衣類乾燥ドラムの内部を加熱することができる。
【００２７】
従来技術において、衣類乾燥システムで使用される遠赤外線ヒーターは通常の動作温度が６００℃であるが、異常の場合、１０００℃にも達するため、温度に対する制御が特に重要となり、上記で言及されたように遠赤外線ヒーターに対して温度検出及び保護を行うだけでなく、衣類乾燥ドラム内に温度センサが更に設置されており、当該温度センサは、衣類乾燥ドラム内の温度が高すぎて衣類の損傷につながることを防止するように、衣類乾燥ドラム内の温度を検出するために用いられる。そこで、ドラム内の温度をできるだけ均一にするために、高パワーの送風機を全体的に配備することが要求される。但し、風速がやや低くなり、風道が多少塞がれると、安全上の問題が発生するおそれがある。
【００２８】
本制御システムにおいて、遠赤外線ヒーター１を用いて衣類を加熱し、遠赤外線ヒーター１はそれ自体の温度が規制されているものであり、例えば２００シリーズの最高温度が２００℃以下であり、当該温度を超えると電源が自動的にオフになる。また、遠赤外線ヒーター１の衣類に対する加熱は、空気を媒体にするのではなく、発した遠赤外線放射によって衣類における水分を直接加熱する。この２つのことにより、まず、使用の安全性を確保したため、従来の衣類乾燥システムにおいて衣類乾燥ドラム内に設置された温度センサが、それほど重要ではなくなり、衣類乾燥ドラム内の温度検出の正確性も、風速に依存しなくなる。しかしながら、乾燥させようとする衣類が化学繊維やウール等の温度に対する要求が比較的高い布地から製造されるものである場合、衣類乾燥ドラム内の温度に対する要求も同様に比較的高い。
【００２９】
従って、本実施形態において、好ましい形態として、前記衣類乾燥機に少なくとも１つの第２温度センサ７が更に設置され、前記第２温度センサ７は、前記コントローラ２の入力端に接続され、衣類乾燥ドラム内の温度を検出してコントローラ２に伝送するために用いられる。コントローラ２は、受信した衣類乾燥ドラム内の温度を予め設定された上限温度Ｔｍａｘ２及び予め設定された下限温度Ｔｍｉｎ２と比較し、衣類乾燥ドラム内の温度が予め設定された上限温度Ｔｍａｘ２を超えると、リレー３をオフとなるように制御し、衣類乾燥ドラム内の温度が予め設定された下限温度Ｔｍｉｎ２未満であると、リレー３をオンとなるように制御する。
【００３０】
本実施形態において、好ましい形態として、前記第２温度センサ７は前記衣類乾燥機の風出口に設置されている。
【００３１】
本実施形態において、前記第２温度センサ７の数は少なくとも１つである。第２温度センサ７の数が複数である場合、すべての第２温度センサ７により、検出した衣類乾燥ドラム内の温度をコントローラ２に伝送した後、コントローラ２により、受信したすべての衣類乾燥ドラム内の温度に対して平均値を取る。その後、当該平均値を予め設定された上限温度Ｔｍａｘ２及び予め設定された下限温度Ｔｍｉｎ２と比較する。
【００３２】
本実施形態において、好ましい形態として、前記衣類乾燥機の風入口に、パワーが１０Ｗ〜２０Ｗであり、前記コントローラ２に接続されている送風機８が設置され、コントローラ２により送風機８の回動が制御される。本制御システムにおいて、風速に依存することが避けられたため、高パワーの送風機の使用が避けられ、１つの比較的小さい送風機のみで放湿を補助すればよい。よって、このような衣類乾燥機は騒音が非常に低い。
【００３３】
本実施形態において、本制御システムにパワーの低い送風機が用いられ、湿気を含む熱いガスが衣類乾燥機上部の風出口へ集まるため、好ましい形態として、前記湿度センサ６は、湿度をより確実に測定するように、衣類乾燥機の風出口に設置されている。
【００３４】
本実施形態において、好ましい形態として、前記コントローラ２はＰＣＢ集積回路基板とする。
【００３５】
＜方法実施形態＞
本出願は、遠赤外線加熱衣類乾燥機の制御方法を更に提供し、当該衣類乾燥制御方法は、第２温度センサ７が設置されず、第１温度センサ５と湿度センサ６が内設される遠赤外線加熱衣類乾燥機に適用されるものである。図２は、本発明の方法実施形態に係る衣類乾燥制御方法のフローチャートである。図２に示すように、当該制御方法は、
乾燥過程を開始した後、第１温度センサ５により、遠赤外線ヒーター１内の温度を検出し、信号としてコントローラ２に伝送するとともに、湿度センサ６により、衣類乾燥ドラム内のガスの湿度を検出し、信号としてコントローラ２に伝送するステップＳ１１と、
コントローラ２により、受信した湿度値を予め設定された湿度値と比較し、湿度値が予め設定された湿度値以下である場合、衣類乾燥ドラム内の衣類の乾燥が完了したことを意味するので、ステップＳ１３を実行し、湿度値が予め設定された湿度値を超える場合、ステップＳ１４を実行するステップＳ１２と、
コントローラ２により、リレー３がオフ状態であるか否かを判断し、オフ状態でない場合、リレー３をオフ状態となるように制御するとともに、乾燥過程全体を終了するステップＳ１３と、
コントローラ２により、受信した遠赤外線ヒーター内の温度を予め設定された上限温度Ｔｍａｘ１及び予め設定された下限温度Ｔｍｉｎ１と比較し、遠赤外線ヒーター内の温度が予め設定された上限温度Ｔｍａｘ１を超える場合、ステップＳ１３を実行し、遠赤外線ヒーター内の温度が予め設定された下限温度Ｔｍｉｎ１未満である場合、ステップＳ１５を実行し、遠赤外線ヒーター内の温度が予め設定された上限温度Ｔｍａｘ１以下であり、且つ予め設定された下限温度Ｔｍｉｎ１以上である場合、コントローラ２が応答しないステップＳ１４と、
コントローラ２により、リレー３がオン状態であるか否かを判断し、リレー３がオン状態でない場合、コントローラ２により、リレー３をオン状態となるように制御し、遠赤外線ヒーター１により、改めて赤外線を発するステップＳ１５とを含む。
【００３６】
本実施形態において、前記予め設定された上限温度Ｔｍａｘ１は、１９０℃〜２１０℃の範囲内にあることが好ましいが、これに限定されるものではなく、具体的な状況に応じて設定することができる。前記予め設定された下限温度Ｔｍｉｎ１は、１４０℃〜１６０℃の範囲内にあることが好ましいが、これに限定されるものではなく、具体的な状況に応じて設定することができる。
【００３７】
本出願は、他の遠赤外線加熱衣類乾燥機の制御方法を更に提供し、当該制御方法は、第１温度センサ５と湿度センサ６が内設されるとともに、ドラム内に第２温度センサ７が設置される遠赤外線加熱衣類乾燥機に適用されるものである。図３は、本発明の方法実施形態に係る衣類乾燥制御方法の好ましい形態のフローチャートである。図３に示すように、制御方法は、
乾燥過程を開始した後、第１温度センサ５により、遠赤外線ヒーター１内の温度を検出し、信号としてコントローラ２に伝送し、湿度センサ６により、衣類乾燥ドラム内のガスの湿度を検出し、信号としてコントローラ２に伝送するとともに、第２温度センサ７により、衣類乾燥ドラム内の温度を検出し、信号としてコントローラ２に伝送するステップＳ２１と、
コントローラ２により、受信した湿度値を予め設定された湿度値と比較し、湿度値が予め設定された湿度値を超える場合、ステップＳ２４を実行し、湿度値が予め設定された湿度値以下である場合、衣類乾燥ドラム内の衣類の乾燥が完了したことを意味するので、ステップＳ２３を実行するステップＳ２２と、
コントローラ２により、リレー３がオフ状態であるか否かを判断し、オフ状態でない場合、リレー３をオフ状態となるように制御するとともに、乾燥過程全体を終了するステップＳ２３と、
コントローラ２により、受信した遠赤外線ヒーター内の温度を予め設定された上限温度Ｔｍａｘ１及び予め設定された下限温度Ｔｍｉｎ１と比較するとともに、受信した衣類乾燥ドラム内の温度を予め設定された上限温度Ｔｍａｘ２及び予め設定された下限温度Ｔｍｉｎ２と比較し、遠赤外線ヒーター内の温度が予め設定された上限温度Ｔｍａｘ１を超えること、及び衣類乾燥ドラム内の温度が予め設定された上限温度Ｔｍａｘ２を超えることの少なくとも１つを満たす場合、衣類乾燥ドラム内の温度及び／又は遠赤外線ヒーター１内の温度が高すぎることを意味するので、衣類及び／又は遠赤外線ヒーター１の焼損を防止するために、ステップＳ２３を実行し、遠赤外線ヒーター内の温度が予め設定された下限温度Ｔｍｉｎ１未満であること、及び衣類乾燥ドラム内の温度が予め設定された下限温度Ｔｍｉｎ２未満であることの少なくとも１つを満たす場合、衣類乾燥ドラム内の温度及び／又は遠赤外線ヒーター１内の温度が低すぎることを意味するので、ステップＳ２５を実行し、さもなければ、コントローラ２が応答しないステップＳ２４と、
コントローラ２により、リレー３がオン状態であるか否かを判断し、オン状態でない場合、リレー３をオン状態となるように制御し、遠赤外線ヒーター１により、加熱を継続するように、衣類乾燥ドラム内の衣類に改めて赤外線を発するステップＳ２５とを含む。
【００３８】
なお、上記説明は本発明の好適な実施形態及び使用される技術原理に過ぎない。当業者は、本発明がここに記載された特定の実施形態に限定されず、当業者により、本発明の保護範囲を逸脱しない範囲で、各種の明らかな変更、調整及び置換を行うことができるということを理解すべきである。従って、上記実施形態により本発明を詳細に説明したが、本発明は上記実施形態に限定されず、本発明の構想を逸脱しない場合、他の均等な実施形態をより多く含んでもよく、本発明の保護範囲は添付された特許請求の範囲によって決定される。
【符号の説明】
【００３９】
１  遠赤外線ヒーター
２  コントローラ
３  リレー
４  電源
５  第１温度センサ
６  湿度センサ
７  第２温度センサ
８  送風機
【図１】
2017525480.tif 000003
【図２】
2017525480.tif 000004
【図３】
2017525480.tif 000005
【国際調査報告】
2017525480.tif 000006
2017525480.tif 000007
2017525480.tif 000008
2017525480.tif 000009